(57)【要約】本発明は真空掃除機に関するもので、ハンディ掃除機へ切換可能な真空掃除機、及び様々な種類のノズルの収納が容易になされるハンディ掃除機一体型真空掃除機に関する。本発明による真空掃除機は、モーターアセンブリーが備えられて、本体流入口を通じて流入する空気が本体排気口から吐出され、マウント部を備える本体と、マウント部に備えられて、本体流入口を通じて流入する空気中の異物をろ過する集塵筒と、を含み、マウント部は、集塵筒が着脱可能に設置される第１マウント部と、本体に形成されて収納空間をなす第２マウント部と、を含む。また、ハンディ掃除機一体型真空掃除機は、本体に備えられ、本体流入口に連通するノズルが保管される収納部を含む。
2010508884.tif 000002
【特許請求の範囲】
【請求項１】
本体と、前記本体に分離可能に固定される第１部材と、前記本体に分離可能に固定される第２部材と、前記本体に連結される吸入ホースと、を含み、
前記本体は第１吸入源を備え、前記第１部材は、第１ハウジングと、前記第１ハウジングにより定義されるか、前記第１ハウジングに取り囲まれた集塵筒とを備え、前記集塵筒は前記第１吸入源と流体連通し、前記第２部材は、第２ハウジングと、前記第２ハウジングに取り囲まれた第２吸入源とを備え、前記集塵筒は前記第２吸入源と流体連通しておらず、前記吸入ホースは前記第１部材の前記集塵筒と流体連通する真空掃除機を提供する段階と、
前記集塵筒及び前記吸入ホース内に負圧が生成されるように前記第１吸入源を運転して、表面を掃除する段階と、
を含むことを特徴とする真空掃除方法。
【請求項２】
前記本体から前記第１部材を分離する段階と、
前記本体から前記第２部材を分離する段階と、
前記集塵筒と前記第２吸入源とが流体連通するように前記第１ハウジングと前記第２ハウジングとを結合させ、ハンディ型真空掃除機を組み立てる段階と、
をさらに含むことを特徴とする請求項１に記載の真空掃除方法。
【請求項３】
前記ハンディ型真空掃除機は、前記集塵筒と流体連通する空気吸入管を備え、
前記空気吸入管から前記集塵筒まで、そして前記集塵筒から前記吸入源まで空気流が生成されるように前記第２吸入源を運転し、表面を掃除する段階をさらに含むことを特徴とする請求項２に記載の真空掃除方法。
【請求項４】
外部空気は前記空気吸入管に引き込まれて、前記集塵筒へ一般に第１方向に流れ、前記集塵筒内の空気は、前記吸入源へ一般に第２方向に流れ、前記第２方向は、前記ハンディ型真空掃除機の上部から見る時、前記第１方向と交差することを特徴とする請求項３に記載の真空掃除方法。
【請求項５】
前記第１方向と前記第２方向は略直角で交差することを特徴とする請求項４に記載の真空掃除方法。
【請求項６】
前記第２ハウジングは、前記空気吸入管と前記第１部材の前記集塵筒間を相互連結する導管を定義し、前記空気吸入管に引き込まれる外部空気は、前記第２ハウジングの前記導管を通して前記集塵筒に到達するように流れることを特徴とする請求項３に記載の真空掃除方法。
【請求項７】
前記空気吸入管は前記第２ハウジングにヒンジ結合され、
第１位置と第２位置との間で前記空気吸入管をヒンジ回転する段階をさらに含むことを特徴とする請求項６に記載の真空掃除方法。
【請求項８】
前記第１部材は、道具を使用することなく前記本体から分離可能であることを特徴とする請求項２に記載の真空掃除方法。
【請求項９】
前記第２部材から前記第１部材を分離する段階と、
前記集塵筒が前記第１吸入源と流体連通するように前記第１部材を前記本体に固定する段階と、
前記第２部材を前記本体に固定する段階と、
をさらに含むことを特徴とする請求項２に記載の真空掃除方法。
【請求項１０】
前記第１部材は、道具を使用することなく前記本体に固定されることを特徴とする請求項９に記載の真空掃除方法。
【請求項１１】
前記本体は収納部を備え、該収納部に収容されるノズルと延長管のうち少なくとも一つをさらに備え、
前記吸入ホースに前記ノズルと延長管のうち少なくとも一つを連結する段階をさらに含むことを特徴とする請求項１に記載の真空掃除方法。
【請求項１２】
前記真空掃除機は、キャニスター型真空掃除機であることを特徴とする請求項１に記載の真空掃除方法。
【請求項１３】
前記第１部材は、前記集塵筒内で旋回気流が生成されるように形成される区画壁を備えることを特徴とする請求項１に記載の真空掃除方法。
【請求項１４】
前記第１ハウジングは第１入口と第１出口とを備え、前記集塵筒は、前記第１入口と前記第１出口との間の経路に配置され、前記本体は第１吸入通路と第２吸入通路とを備え、前記第１吸入通路は前記第１入口を通して前記集塵筒と流体連通し、前記第１吸入源と前記第１出口とは、前記第２吸入通路を通して流体連通することを特徴とする請求項１に記載の真空掃除方法。
【請求項１５】
第１ハウジングと、前記第１ハウジングにより定義されるか、前記第１ハウジングに取り囲まれた集塵筒とを備える第１部材を提供する段階と、
第２ハウジングと、前記第２ハウジングに取り囲まれた吸入源とを備える第２部材を提供する段階と、
前記集塵筒と前記吸入源とが互いに流体連通し、前記集塵筒と流体連通する空気吸入管を備え、一体ハンディ型真空掃除機を構成するように前記第１部材と前記第２部材とを結合させる段階と、
前記空気吸入管から前記集塵筒まで、そして、前記集塵筒から前記吸入源まで空気流を生成させるように前記吸入源を運転し、外部空気は、前記空気吸入管に引き込まれて前記集塵筒へ一般に第１方向に流れ、前記集塵筒内の空気は、前記吸入源へ一般に第２方向に流れ、前記第２方向は、前記ハンディ型真空掃除機の上部から見る時、前記第１方向と交差する段階と、
を含むことを特徴とする真空掃除方法。
【請求項１６】
前記第１方向と前記第２方向とは、略直角で交差することを特徴とする請求項１５に記載の真空掃除方法。
【請求項１７】
前記ハンディ型真空掃除機は延長ハンドルをさらに備え、上側から見る時、前記第１ハウジングは一般に前記延長ハンドルの一側に位置し、前記第２ハウジングは一般に前記延長ハンドルの他側に位置することを特徴とする請求項１５に記載の真空掃除方法。
【請求項１８】
前記延長ハンドルは前記第１ハウジングに固定されることを特徴とする請求項１５に記載の真空掃除方法。
【請求項１９】
前記第２ハウジングは前記空気吸入管と前記第１部材の前記集塵筒間を相互連結する導管を定義し、前記空気吸入管に引き込まれる外部空気は、前記第２ハウジングの前記導管を通して前記集塵筒に到達するように流れることを特徴とする請求項１５に記載の真空掃除方法。
【請求項２０】
前記第１部材は、前記集塵筒内で旋回気流が生成されるように形成される区画壁を備えることを特徴とする請求項１５に記載の真空掃除方法。
【発明の詳細な説明】
【技術分野】
【０００１】
本発明は、真空掃除機に関するもので、特に、ハンディ型真空掃除機を形成できる構成要素を有する真空掃除機の作動に関する。
【背景技術】
【０００２】
一般に、広く供給されている真空掃除機は、その使用状態と形態によって、隅部の掃除及び移動が便利であり且つブラッシュやノズルの入れ替えが容易なキャニスター型（canister type）と、広い空間の掃除が容易であり且つ保管が便利なアップライト型（upright type）と、に区分されることができる。
【０００３】
図１は、一般の真空掃除機を示す図である。
【０００４】
図１を参照すると、一般の真空掃除機は、大きく、床面に密着される吸入体１１、吸入体１１と連結され、一定の長さを持つパイプ１２、パイプ１２と連結される取っ手１３、取っ手１３と連結されるホース１４、及びホース１４と連結される本体２０からなる。
【０００５】
吸入体１１は、底面に輪が設けられており、床面に沿って移動しながら異物を吸い込み、パイプ１２及び取っ手１３は、吸入体１１を所望の位置に移動させる役割を果たす。
【０００６】
そして、パイプ１２及びホース１４は、異物を含む空気を本体２０に案内し、本体２０は、異物の含まれている空気を吸い込んで異物を集塵し、空気は外部に排出する。
【０００７】
図２は、図１に示す本体の概略断面図である。
【０００８】
図２を参照すると、本体２０の前方にはホース１４との結合のための着脱部２１が設けられる。
【０００９】
本体２０の内部中央には着脱部２１と連結される集塵部２２が設けられる。
【００１０】
集塵部２２についてより具体的に説明すると、本体２０の内部中央に形成された挿入溝２３に集塵筒２４が挿入され、この集塵筒２４の内部には異物をろ過するためのフィルター２５が設けられる。
【００１１】
集塵筒２４は、上側に取っ手２６が設けられ、分離ボタン２７によって集塵筒２４が挿入溝２３から離脱する。
【００１２】
この時、挿入溝２３に近接する本体２０の内部にはモーター２８が設けられ、このモーター２８は電源ケーブル２９を介して電源の供給を受けて駆動する。
【００１３】
したがって、電源の供給によってモーター２８が駆動すると、集塵筒２４に異物が吸い込まれながらフィルター２５により異物がろ過され、浄化した空気が外部に排出され、異物は集塵筒２４内に集塵される。
【００１４】
以降、集塵筒２４に異物が積もると、分離ボタン２７を押して集塵筒２４を挿入溝２３から分離し、別のボタン（図示せず）によって集塵筒２４を開き、異物を除去する。
上記の技術構成は、一般的な背景技術で、本発明の属する技術分野において広く知られた従来技術を意味するものではない。
【発明の概要】
【発明が解決しようとする課題】
【００１５】
かかる真空掃除機は、本体にモーターが内蔵されているため、常に本体を移動させながら掃除作業をしなければならない。
【００１６】
そのため、隅部や一部分のみを掃除する場合にも本体を移動させなければならない他、電源ケーブルが短い場合には、作業しようとする場所付近のコンセントに再び電源ケーブルを結合しなければならないという問題点があった。
【課題を解決するための手段】
【００１７】
上記の課題を解決するための本発明の一側面によると、第１マウンティングステーションと第１吸入源とを備える本体と、前記本体と分離可能に前記第１マウンティングステーションに固定され、第１ハウジングと、前記第１ハウジングにより定義されるか、前記第１ハウジングに取り囲まれた集塵筒とを備える第１部材と、第２ハウジングと、前記第２ハウジングに取り囲まれた第２吸入源とを備える第２部材と、前記本体から分離される時、前記第１部材は前記第２部材と真空掃除可能に結合されて、ハンディ型真空掃除機を形成することができ、前記本体に固定される時、前記第１部材は、前記第２部材と真空掃除可能に結合されずに、前記第１吸入源と真空掃除可能に結合されて、他の真空掃除機を形成することができることを特徴とする真空掃除機装置が提供される。
【００１８】
前記本体は、前記メインハウジングに形成される第２マウンティングステーションをさらに備え、前記第２部材は前記本体に分離可能に固定されることができる。前記本体は、前記第２部材を固定するマウンティングステーションを備えない。前記第１ハウジングは、第１入口と、前記集塵筒と流体連通する第１出口とを備えることができる。前記本体は第１吸入通路と第２吸入通路とを備え、前記第１部材が前記本体に固定される時、前記第１吸入通路は前記第１入口を通して前記集塵筒と流体連通し、前記第１吸入源と前記第１出口は前記第２吸入通路を通して流体連通することができる。前記第１ハウジングは第１壁を有し、前記本体は第２壁を有し、前記第１壁と前記第２壁は互いに対向及び接触し、前記第１入口と前記第１出口は前記第１壁を貫通して形成されることができる。前記第２吸入通路は、前記本体の前記第２壁を貫通して形成される開口を有し、前記第１出口は、前記第２吸入通路を通じて前記集塵筒から前記第１吸入源まで空気流が流れるように前記第２吸入通路の前記開口と結合するように形成されることができる。
【００１９】
前記第２ハウジングは、第２入口と第２出口とを備え、前記第２吸入源は、前記第２入口から前記第２出口まで強制空気流が生成されるように形成されることができる。前記第１部材及び前記第２部材が前記ハンディ型真空掃除機を形成する時、前記第１出口は前記第２入口に結合されることができる。前記第１ハウジングは前記第１入口と前記第１出口との間に空気流路を定義し、前記真空掃除機装置は、前記第１入口を通して前記第１ハウジングに供給される空気が、前記第１出口を通して前記第１ハウジングから排出される前にフィルタリングされるように前記空気流路にフィルターをさらに備えることができる。前記第１ハウジングは前記第１入口と前記第１出口との間に空気流路を定義し、前記空気流路は、空気が前記空気流路を通して流れる時に旋回気流を生成するように形成されることができる。
【００２０】
前記他の真空掃除機は、キャニスター型真空掃除機であることができる。前記第１部材及び前記第２部材のうち少なくとも一つは、再充電可能なバッテリーをさらに備えることができる。前記本体にバッテリー充電ステーションがさらに備えられ、前記バッテリー充電ステーションは、前記再充電可能なバッテリーと連結されるように形成されることができる。前記第１部材は、道具を使用することなく前記本体に固定または前記本体から分離できるように形成されることができる。前記第１部材は、前記ハンディ型真空掃除機のハンドルをさらに備えることができる。前記本体は、ノズル及び延長管からなるグループより選ばれる少なくとも一つを収容するように形成される区画部をさらに定義することができる。
【００２１】
前記装置は、前記第２ハウジングに連結される空気吸入管をさらに備え、前記空気吸入管は、外部空気を最初に受け取り、前記第２ハウジング内に定義される導管に前記空気をガイドするように形成され、前記第１部材及び前記第２部材が前記ハンディ型真空掃除機を形成する時、前記第２ハウジングの前記導管は、外部空気が前記空気吸入管により最初に受け取られ、前記第２ハウジングの前記導管を通して前記第１ハウジングに移動するように前記空気吸入管と前記第１ハウジング間を相互連結することができる。前記空気吸入管は、第１位置と第２位置との間で前記第２部材に対してヒンジ移動するように形成され、前記空気吸入管は、前記第１位置で前記導管と流体連通し、前記第２位置で前記導管と流体連通しないことができる。前記本体は第２マウンティングステーションをさらに備え、前記第２部材は前記本体に分離可能に固定され、前記空気吸入管は、前記第２部材が前記本体に固定される時に前記第２位置にあることができる。
【００２２】
上記課題を解決するための本発明の他の側面によると、本体と、前記本体に分離可能に固定される第１部材と、前記本体に分離可能に固定される第２部材と、前記本体に連結される吸入ホースと、を含み、前記本体は第１吸入源を備え、前記第１部材は、第１ハウジングと、前記第１ハウジングにより定義されるか、前記第１ハウジングに取り囲まれた集塵筒とを備え、前記集塵筒は前記第１吸入源と流体連通し、前記第２部材は、第２ハウジングと、前記第２ハウジングに取り囲まれた第２吸入源とを備え、前記集塵筒は前記第２吸入源と流体連通しておらず、前記吸入ホースは前記第１部材の前記集塵筒と流体連通する真空掃除機を提供する段階と、前記集塵筒及び前記吸入ホース内に負圧が生成されるように前記第１吸入源を運転して、表面を掃除する段階と、を含む真空掃除方法が提供される。
【００２３】
上記方法は、前記本体から前記第１部材を分離する段階と、前記本体から前記第２部材を分離する段階と、前記集塵筒と前記第２吸入源とが流体連通するように前記第１ハウジングと前記第２ハウジングとを結合させ、ハンディ型真空掃除機を組み立てる段階と、をさらに含むことができる。前記ハンディ型真空掃除機は、前記集塵筒と流体連通する空気吸入管を備え、前記空気吸入管から前記集塵筒まで、そして前記集塵筒から前記吸入源まで空気流が生成されるように前記第２吸入源を運転し、表面を掃除する段階をさらに含むことができる。外部空気は前記空気吸入管に引き込まれて、前記集塵筒へ一般に第１方向に流れ、前記集塵筒内の空気は、前記吸入源へ一般に第２方向に流れ、前記第２方向は、前記ハンディ型真空掃除機の上部から見る時、前記第１方向と交差することができる。前記第１方向と前記第２方向は略直角で交差することができる。前記第２ハウジングは、前記空気吸入管と前記第１部材の前記集塵筒間を相互連結する導管を定義し、前記空気吸入管に引き込まれる外部空気は、前記第２ハウジングの前記導管を通して前記集塵筒に到達するように流れることができる。前記方法は、前記空気吸入管は前記第２ハウジングにヒンジ結合され、第１位置と第２位置との間で前記空気吸入管をヒンジ回転する段階をさらに含むことができる。
【００２４】
前記第１部材は、道具を使用することなく前記本体から分離可能であることができる。前記方法は、前記第２部材から前記第１部材を分離する段階と、前記集塵筒が前記第１吸入源と流体連通するように前記第１部材を前記本体に固定する段階と、前記第２部材を前記本体に固定する段階と、をさらに含むことができる。前記第１部材は、道具を使用することなく前記本体に固定されることができる。前記方法は、前記本体は収納部を備え、該収納部に収容されるノズルと延長管のうち少なくとも一つをさらに備え、前記吸入ホースに前記ノズルと延長管のうち少なくとも一つを連結する段階をさらに含むことができる。前記真空掃除機は、キャニスター型真空掃除機であることができる。前記第１部材は、前記集塵筒内で旋回気流が生成されるように形成される区画壁を備えることができる。前記第１ハウジングは第１入口と第１出口とを備え、前記集塵筒は、前記第１入口と前記第１出口との間の経路に配置され、前記本体は第１吸入通路と第２吸入通路とを備え、前記第１吸入通路は前記第１入口を通して前記集塵筒と流体連通し、前記第１吸入源と前記第１出口とは、前記第２吸入通路を通して流体連通することができる。
【００２５】
本発明の他の側面によると、第１ハウジングと、前記第１ハウジングにより定義されるか、前記第１ハウジングに取り囲まれた集塵筒とを備える第１部材を提供する段階と、第２ハウジングと、前記第２ハウジングに取り囲まれた吸入源とを備える第２部材を提供する段階と、前記集塵筒と前記吸入源とが互いに流体連通し、前記集塵筒と流体連通する空気吸入管を備え、一体ハンディ型真空掃除機を構成するように前記第１部材と前記第２部材とを結合させる段階と、前記空気吸入管から前記集塵筒まで、そして、前記集塵筒から前記吸入源まで空気流を生成させるように前記吸入源を運転し、外部空気は、前記空気吸入管に引き込まれて前記集塵筒へ一般に第１方向に流れ、前記集塵筒内の空気は、前記吸入源へ一般に第２方向に流れ、前記第２方向は、前記ハンディ型真空掃除機の上部から見る時、前記第１方向と交差する段階と、を含む真空掃除方法が提供される。
【００２６】
前記第１方向と前記第２方向とは、略直角で交差することができる。前記ハンディ型真空掃除機は延長ハンドルをさらに備え、上側から見る時、前記第１ハウジングは一般に前記延長ハンドルの一側に位置し、前記第２ハウジングは一般に前記延長ハンドルの他側に位置することができる。前記延長ハンドルは前記第１ハウジングに固定されることができる。前記第２ハウジングは前記空気吸入管と前記第１部材の前記集塵筒間を相互連結する導管を定義し、前記空気吸入管に引き込まれる外部空気は、前記第２ハウジングの前記導管を通して前記集塵筒に到達するように流れることができる。前記第１部材は、前記集塵筒内で旋回気流が生成されるように形成される区画壁を備えることができる。
【００２７】
上記課題を解決するための本発明の他の側面によると、第１ハウジングと、前記第１ハウジングにより定義されるか、前記第１ハウジングに取り囲まれた集塵筒とを備える第１部材と、第２ハウジングと、前記第２ハウジングに取り囲まれた吸入源とを備える第２部材と、外部空気を初期に受け入れるように形成され、前記第１ハウジングと流体連通する空気吸入管と、を含み、前記第１ハウジングと前記第２ハウジングは一体ハンディ型真空掃除機を形成するように互いに結合され、前記吸入源が作動する時、第１空気流が、前記空気吸入管を通じて前記集塵筒まで形成され、前記第１部材と前記第２部材は、前記吸入源が作動する時、第２空気流が前記第１ハウジングから前記第２ハウジングまで形成されるように配列され、前記第１空気流と前記第２空気流の方向は一般に、前記ハンディ型真空掃除機の上側から見る時、互いに交差するハンディ型真空掃除機が提供される。
【００２８】
前記ハンディ型真空掃除機は延長ハンドルをさらに含み、上側から見る時、前記第１部材は一般に前記延長ハンドルの一側に配置され、前記第２部材は一般に前記延長ハンドルの他側に配置されることができる。前記延長ハンドルは、前記第１ハウジングに固定されることができる。前記第１空気流と前記第２空気流の方向は、略直角で互いに交差することができる。前記第１空気流と前記第２空気流の方向は、直角以外の角度で互いに交差することができる。前記第１部材は、前記第１ハウジングに形成される第１入口と第１出口を含み、前記第１入口は、前記第１空気流を受け入れるように形成されることができる。前記第２部材は、前記第２ハウジングに形成される第２入口と第２出口を含み、前記第２入口と前記第１出口は、前記第１ハウジングから前記第２ハウジングまで前記第２空気流が流れるように結合され、前記第２部材は、前記第２出口を通して前記吸入源に到達した空気を排出するように構成されることができる。前記第２入口と前記第２出口は、前記第２ハウジング内で実質的に相対向して配置されることができる。前記第２部材は、前記第２ハウジング内に設けられ、前記空気吸入管と前記第１部材の前記第１入口間を相互連結する導管をさらに含むことができる。
【００２９】
前記第１ハウジングは、前記第１入口と前記第１出口との間で内部空気流路を定義し、前記内部空気流路は、旋回気流を生成するように形成されることができる。前記第１ハウジングは前記第１入口と前記第１出口との間に内部空気流路を定義し、前記ハンディ型真空掃除機は、前記第１入口を通して前記第１ハウジングに供給される空気が、前記第１出口を通して前記第１ハウジングから排出される前にフィルタリングされるように、前記内部空気流路にフィルターをさらに備えることができる。前記第１ハウジングは第１壁を有し、前記第２ハウジングは第２壁を有し、前記第１壁と前記第２壁は互いに対向及び接触し、前記第１入口と前記第１出口は前記第１壁を貫通して形成されることができる。前記第２部材は前記第２ハウジング内に形成され、前記第１ハウジングから前記第２ハウジングまで前記第２空気流が流れるように前記第１出口と結合するよう構成される第２入口を備え、前記第２入口は、前記第２壁を貫通して形成されることができる。前記第２部材は、前記第２ハウジング内に設けられる導管をさらに含み、前記導管は、前記第２壁を貫通する第１開口を有し、前記導管の前記第１開口は、前記第１入口と結合するように配置されることができる。前記導管は、前記空気吸入管と連結される第２開口を有し、前記第１空気流は、前記空気吸入管、前記第２開口、前記導管、前記第１開口及び前記第１入口の順に通過して前記集塵筒に至るように形成されることができる。前記ハンディ型真空掃除機は、前記第１ハウジングまたは前記第２ハウジングに収容される再充電可能なバッテリーをさらに含むことができる。
【００３０】
本発明の他の側面によると、第１ハウジングと、前記第１ハウジングにより定義されるか、前記第１ハウジングに取り囲まれた集塵筒とを備える第１部材と、第２ハウジングと、前記第２ハウジングに取り囲まれた吸入源とを備える第２部材と、前記第１部材または前記第２部材にヒンジ結合され、第１位置と第２位置との間でヒンジ回転するように形成される空気吸入管と、を含み、前記第１ハウジングと前記第２ハウジングは一体ハンディ型真空掃除機を形成するように互いに結合され、前記第１位置で前記空気吸入管は前記集塵筒と完全流体連通し、前記第２位置で前記空気吸入管は前記集塵筒と実質的に流体連通しないハンディ型真空掃除機が提供される。前記第２部材は、前記第２ハウジング内に設けられる導管を含み、前記導管は、前記空気吸入管及び前記集塵筒間を相互連結することができる。前記空気吸入管は遠位端を有し、第１位置で前記遠位端は第１距離にあり、第２位置で前記遠位端は第２距離にあり、前記第２距離は前記第１距離よりも大きいと良い。前記ハンディ型真空掃除機の延長ハンドルをさらに含み、上側から見る時、前記第１部材は一般に前記延長ハンドルの一側に位置し、前記第２部材は一般に前記延長ハンドルの他側に位置することができる。
【００３１】
本発明の他の側面による真空掃除機は、モーターアセンブリーが備えられて、本体流入口を通じて流入する空気が本体排気口から吐出され、マウント部を備える本体と、前記マウント部に備えられて、前記本体流入口から流入する空気中の異物をろ過する集塵筒と、を含み、前記マウント部は、前記集塵筒が着脱可能に設置される第１マウント部と、前記本体に形成されて収納空間をなす第２マウント部と、を含む。
【００３２】
好ましくは、前記本体流入口は前記本体の前方部に形成され、前記本体排気口は前記本体の後方部に形成され、前記本体排気口側に前記モーターアセンブリーが設置される。
好ましくは、前記集塵筒は、ケースと、前記ケースに備えられ、流入口と排気口が形成されるカバーと、前記排気口側に備えられるフィルターと、を含む。
【００３３】
より好ましくは、上記の真空掃除機は、前記集塵筒に備えられる第１着脱装置と、前記第１マウント部に備えられて前記第１着脱装置と結合される第２着脱装置と、を含んでなる着脱装置をさらに含む。
【００３４】
より好ましくは、前記第１着脱装置は、前記カバーに備えられる取っ手と、前記取っ手に備えられて一定空間をなす取っ手カバーに設置される。
【００３５】
より好ましくは、前記第１マウント部は、前記本体流入口と連通するように前記流入口に対応する吐出口と、前記本体排気口と連通するように前記排気口に対応する吸入口と、
を含む。
【００３６】
より好ましくは、前記流入口には、前記フィルターの一側に延在する曲線状のガイド管が設置される。
【００３７】
より好ましくは、前記第１着脱装置は、前記カバーの外側に出没する係止突起と、前記取っ手に設置されて、使用者により押されると前記係止突起が前記カバーの内側に挿入されるようにするノブと、前記係止突起と前記取っ手内壁との間に介在されて付勢する弾性部材と、を含み、前記第２着脱装置は、前記係止突起に対応する前記第１マウント部に形成される溝部を含む。
【００３８】
より好ましくは、上記の真空掃除機は、前記排気口と前記吸入口に設置される連結装置をさらに含む。
【００３９】
より好ましくは、前記連結装置は、前記排気口の周縁から外側へ延びる円形の突部と、前記突部の端部から側方向に沿って突出するスライディング突起と、前記突部に対応する前記吸入口の周縁に形成される円形の挿入溝部と、前記挿入溝部の外側端部に形成されて前記スライディング突起が係合する拘束突起と、前記挿入溝部の内側にはめ込まれる弾性材質のシーリング部材と、を含む。
【００４０】
本発明によるハンディ掃除機一体型真空掃除機は、モーターアセンブリーが備えられて、本体流入口を通じて流入する空気が本体排気口から吐出され、マウント部を備える本体と、前記マウント部に備えられて、前記本体流入口から流入する空気中の異物をろ過する集塵筒と、前記マウント部に備えられ、前記集塵筒に結合されると前記集塵筒に吸入力を発生させる駆動部と、前記本体に備えられ、前記本体流入口に連通するノズルが保管される収納部と、を含む。
【００４１】
好ましくは、前記収納部は、前記本体底面に備えられる。
【００４２】
好ましくは、前記収納部の内壁には、収納される前記ノズルの形状と対応する収納溝部が備えられる。
【００４３】
好ましくは、前記収納部には蓋が備えられ、前記蓋と前記収納部には開閉装置が備えられる。
【００４４】
より好ましくは、前記開閉装置は、前記蓋に備えられるロック突起と、前記ロック突起に対応する前記収納部に備えられて、前記ロック突起が挿入される固定部と、を含む。
【発明の効果】
【００４５】
上記のように構成される本発明による真空掃除機は、空気が流動する直線流路の側面に集塵筒が着脱可能に設置されるので、空気の流れが円滑になり、送風効率が向上するという利点がある。
【００４６】
また、本発明によるハンディ掃除機一体型真空掃除機は、集塵筒の着脱が容易なので、集塵筒を分離してハンディ掃除機への切換が可能になり、広い場所及び狭い場所を容易に掃除できるハンディ掃除機一体型真空掃除機を具現でき、かつ、別の収納空間が形成されるので、ノズル、スペアフィルターのような部品を容易に保管でき、使用者の便宜を図ることができるという利点がある。
【図面の簡単な説明】
【００４７】
【図１】一般的な真空掃除機を示す図である。
【図２】図１に示す真空掃除機の本体の概略断面図である。
【図３】本発明の一実施例によるハンディ掃除機一体型真空掃除機を示す斜視図である。
【図４】本発明の一実施例によるハンディ掃除機一体型真空掃除機の本体を示す斜視図である。
【図５】本発明の一実施例によるハンディ掃除機一体型真空掃除機のハンディ掃除機を示す分解斜視図である。
【図６】本発明の一実施例によるハンディ掃除機一体型真空掃除機を示す平面図である。
【図７】図６のＡ−Ａ矢示断面図で、ハンディ掃除機一体型真空掃除機の吸入流路を示す図である。
【図８】本発明の一実施例によるハンディ掃除機一体型真空掃除機を示す側面図である。
【図９】図８のＢ−Ｂ矢示断面図で、ハンディ掃除機一体型真空掃除機の排気流路を示す図である。
【図１０】本発明の一実施例によるハンディ掃除機一体型真空掃除機のハンディ掃除機を示す斜視図である。
【図１１】本発明の一実施例によるハンディ掃除機一体型真空掃除機の集塵筒を示す分解斜視図である。
【図１２】本発明の一実施例によるハンディ掃除機一体型真空掃除機のハンディ掃除機を示す平面図である。
【図１３】図１２のＣ−Ｃ矢示断面図で、ハンディ掃除機一体型真空掃除機のハンディ掃除機吸入流路を示す図である。
【図１４】本発明の一実施例によるハンディ掃除機一体型真空掃除機のハンディ掃除機を示す側面図である。
【図１５】図１４のＤ−Ｄ矢示断面図で、ハンディ掃除機一体型真空掃除機のハンディ掃除機排気流路を示す図である。
【図１６】本発明の一実施例によるハンディ掃除機一体型真空掃除機の駆動部を示す底面斜視図である。
【図１７】本発明の一実施例によるハンディ掃除機一体型真空掃除機の電源供給装置を示す断面図である。
【図１８】本発明の一実施例によるハンディ掃除機一体型真空掃除機の電源供給装置を示す分解断面図である。
【図１９】本発明の一実施例によるハンディ掃除機一体型真空掃除機の電源供給装置の構成を示す斜視図である。
【図２０】本発明の一実施例によるハンディ掃除機一体型真空掃除機の電源供給装置の構成を示す分解断面図である。
【図２１】本発明の一実施例によるハンディ掃除機一体型真空掃除機の電源供給装置の構成を示す側断面図である。
【図２２】本発明の一実施例によるハンディ掃除機一体型真空掃除機の連結装置を示す斜視図である。
【図２３】本発明の一実施例によるハンディ掃除機一体型真空掃除機の収納部を示す斜視図である。
【図２４】本発明の一実施例によるハンディ掃除機一体型真空掃除機の収納部を示す断面図である。
【図２５】本発明の一実施例によるハンディ掃除機一体型真空掃除機の電源供給装置を示す概略図である。
【発明を実施するための形態】
【００４８】
以下、本発明の一実施例を、添付の図面を参照しつつ詳細に説明する。
【００４９】
説明の便宜上、ハンディ掃除機一体型真空掃除機に挙げて説明する。この過程で、図面中の線の厚さや構成要素の大きさなどは説明の明瞭性と便宜性から誇張して図示されることができる。
【００５０】
また、後述する用語は、本発明における機能を考慮して定義された用語で、これらは使用者、運用者の意図または慣例によって異なることができる。
【００５１】
したがって、それらの用語についての定義はいずれも、明細書全般にわたる内容に基づいてなされるべきである。
【００５２】
図３は、本発明の一実施例によるハンディ掃除機一体型真空掃除機を示す斜視図であり、図４は、本発明の一実施例によるハンディ掃除機一体型真空掃除機の本体を示す斜視図であり、図５は、本発明の一実施例によるハンディ掃除機一体型真空掃除機のハンディ掃除機を示す分解斜視図である。
【００５３】
また、図６は、本発明の一実施例によるハンディ掃除機一体型真空掃除機を示す平面図であり、図７は、図６のＡ−Ａ矢示断面図で、ハンディ掃除機一体型真空掃除機の吸入流路を示す図であり、図８は、本発明の一実施例によるハンディ掃除機一体型真空掃除機を示す側面図である。
【００５４】
また、図９は、図８のＢ−Ｂ矢示断面図で、ハンディ掃除機一体型真空掃除機の排気流路を示す図であり、図１０は、本発明の一実施例によるハンディ掃除機一体型真空掃除機のハンディ掃除機を示す斜視図であり、図１１は、本発明の一実施例によるハンディ掃除機一体型真空掃除機の集塵筒を示す分解斜視図である。
【００５５】
また、図１２は、本発明の一実施例によるハンディ掃除機一体型真空掃除機のハンディ掃除機を示す平面図であり、図１３は、図１２のＣ−Ｃ矢示断面図で、ハンディ掃除機一体型真空掃除機のハンディ掃除機吸入流路を示す図であり、図１４は、本発明の一実施例によるハンディ掃除機一体型真空掃除機のハンディ掃除機を示す側面図である。
【００５６】
また、図１５は、図１４に示すＤ−Ｄ矢示断面図で、ハンディ掃除機一体型真空掃除機のハンディ掃除機排気流路を示す断面図であり、図１６は、本発明の一実施例によるハンディ掃除機一体型真空掃除機の駆動部を示す底面斜視図であり、図１７は、本発明の一実施例によるハンディ掃除機一体型真空掃除機の電源供給装置を示す断面図である。
【００５７】
また、図１８は、本発明の一実施例によるハンディ掃除機一体型真空掃除機の電源供給装置を示す分解断面図であり、図１９は、本発明の一実施例によるハンディ掃除機一体型真空掃除機の電源供給装置の構成を示す斜視図であり、図２０は、本発明の一実施例によるハンディ掃除機一体型真空掃除機の電源供給装置の構成を示す分解断面図である。
【００５８】
また、図２１は、本発明の一実施例によるハンディ掃除機一体型真空掃除機の電源供給装置の構成を示す側断面図であり、図２２は、本発明の一実施例によるハンディ掃除機一体型真空掃除機の連結装置を示す斜視図であり、図２３は、本発明の一実施例によるハンディ掃除機一体型真空掃除機の収納部を示す斜視図である。
【００５９】
また、図２４は、本発明の一実施例によるハンディ掃除機一体型真空掃除機の収納部を示す断面図であり、図２５は、本発明の一実施例によるハンディ掃除機一体型真空掃除機の電源供給装置を示す概略図である。
【００６０】
図３〜図９を参照すると、本発明の一実施例による真空掃除機は、本体流入口３１、本体排気口３２及びマウント部３３が形成される本体３０と、本体３０に設置され、本体流入口３１を通じて流入する空気が本体排気口３２から吐出されるようにするモーターアセンブリー４０（図９参照）と、マウント部３３に着脱可能に設置され、本体流入口３１から流入する空気中の異物をろ過する集塵筒５０と、マウント部３３に着脱可能に設置されて、集塵筒５０が本体３０から分離されると集塵筒５０に結合され、集塵筒５０に吸入力が発生するようにする駆動部６０と、本体３０と駆動部６０に設置される電源供給装置９０（図１９参照）と、を含む。
【００６１】
集塵筒５０と駆動部６０を本体３０に装着してから電源を印加すると、モーターアセンブリー４０が駆動し、本体流入口３１に連結される延長管（図示せず）及びノズル１１０を通じて空気が流入する。
【００６２】
流入する空気は、集塵筒５０を通過しながら異物がろ過されたのち本体排気口３２から吐出されながら真空掃除機の掃除作動がなされる。
【００６３】
この時、電源供給装置９０により駆動部６０に電気エネルギーが貯蔵されるので、集塵筒５０と駆動部６０を本体３０から分離させ、集塵筒５０と駆動部６０とを結合した後に後述される電源スイッチ６７を操作すると駆動部６０の作動が開始され、ハンディ掃除機の掃除作業を行うことができる。
【００６４】
ここで、電源供給装置９０により駆動部６０に電気エネルギーが貯蔵される原理は、通常の充電器の原理とするので、その詳細な説明は省略する。
【００６５】
本体流入口３１は本体３０の前面中央に形成され、本体排気口３２は本体３０の後方一側面に形成され、本体排気口３２の内側にはモーターアセンブリー４０が設置される。
【００６６】
マウント部３３は、本体流入口３１を中心に本体３０の一側端部に凹設される第１マウント部３５と、本体３０の他側端部に凹設される第２マウント部３６と、を含む。
【００６７】
本体流入口３１から流入する空気は、第１マウント部３５にマウントされる集塵筒５０を通過しつつ異物がろ過され、集塵筒５０を通過した空気は、モーターアセンブリー４０により本体排気口３２から吐出される。
【００６８】
図１０〜図１４、図２２を参照すると、集塵筒５０は、密閉空間を形成するケース５１と、ケース５１の一側に設置され、流入口５５と排気口５６が形成されるカバー５２と、排気口５６に設置されるフィルター５７と、カバー５２の一側から延設される取っ手５３と、取っ手５３に設置される取っ手カバー５４と、取っ手５３と取っ手カバー５４に設置されて、集塵筒５０が第１マウント部３５に結合されるようにする第１着脱装置８０ａと、を含む。
【００６９】
流入口５５の内側には、フィルター５７の周面方向に延在する曲線状のガイド管５５ａが設置される。
【００７０】
本体流入口３１から吸い込まれる空気は、流入口５５を通って集塵筒５０に流入し、流入した空気中の異物はフィルター５７によりろ過され、この空気は排気口５６から本体３０に再び排出される。
【００７１】
本体３０に排出された空気は、モーターアセンブリー４０に沿って本体排気口３２から外部に排出される。
【００７２】
上記した空気流路をなすために第１マウント部３５には流入口５５に対応する吐出口３５ａが形成されて本体流入口３１と連通し、また、排気口５６に対応する吸入口３５ｂが形成されて本体排気口３２と連通する。
【００７３】
図４、図１１及び図１６を参照すると、着脱装置８０は、集塵筒５０に備えられる第１着脱装置８０ａと、第１マウント部３５に備えられて第１着脱装置８０ａと結合される第２着脱装置８０ｂと、駆動部６０に備えられて第１着脱装置８０ａと結合される第３着脱装置８０ｃと、を含む。
【００７４】
第１着脱装置８０ａは、カバー５２の外側に出没する係止突起８４と、取っ手５３に移動可能に設置され、使用者により押されると係止突起８４をカバー５２の内側に移動させるノブ８２と、係止突起８４と取っ手５３内壁との間に介在され、係止突起８４を溝部３５ａ方向に付勢する弾性部材（図示せず）と、を含む。
【００７５】
そして、第２着脱装置８０ｂは、係止突起８４に対応するように第１マウント部３５に形成される溝部３５ｃを含み、第３着脱装置８０ｃは、係止突起８４に対応するように駆動部６０に形成される溝部６８を含む。
【００７６】
図４及び図２２を参照すると、集塵筒５０と第１マウント部３５には第１連結装置７０が備えられ、この第１連結装置７０は、排気口５６の周縁から外側へ延びる円形の突部７２と、突部７２の端部から側方向に沿って突出するスライディング突起７４と、突部７２に対応する吸入口３５ｂの周縁に形成される円形の挿入溝部７６と、挿入溝部７６の外側端部に形成されて、スライディング突起７４が係合する拘束突起７７と、挿入溝部７６の内側にはめ込まれる弾性材質のシーリング部材（図示せず）と、を含む。
【００７７】
集塵筒５０を第１マウント部３５に装着する時に、スライディング突起７４と拘束突起７７とが対応しないように集塵筒５０を第１マウント部３５と所定角度ずらして配置して突部７２を挿入溝部７６に入れたのち集塵筒５０を回して第１マウント部３５にマウントさせる。
【００７８】
この時、集塵筒５０が回転しながらスライディング突起７４が挿入溝部７６に沿ってスライディングすると、スライディング突起７４が拘束突起７７と挿入溝部７６との間に介在されるので、排気口５６と吸入口３５ｂは密着される。
【００７９】
そして、集塵筒５０が回転する時に弾性部材（図示せず）が圧縮されながら係止突起８４がカバー５２の内側に挿入され、集塵筒５０が第１マウント部３５に装着されると弾性部材の復元力により係止突起８４がカバー５２の外側に突出しながら溝部３５ｃに挿入されるので、集塵筒５０の回転運動を拘束し、集塵筒５０の離脱を防止する。
【００８０】
駆動部６０は、第２マウント部３６に着脱可能に収納されるもので、吸入装置６１が設置され、集塵筒５０が第１マウント部３５から分離されると、集塵筒５０と結合されてハンディ掃除機を構成することとなる。
【００８１】
このような駆動部６０には、空気が流入する吸気管６２と、異物のろ過された空気が吐出される排出口６３が設けられる。
【００８２】
また、駆動部６０には、集塵筒５０の流入口５５に対応する吐出口６４が形成され、この吐出口６４は吸気管６２と連通する。
【００８３】
そして、駆動部６０には、集塵筒５０の排気口５６に対応する吸入口６５が形成され、この吸入口６５は排出口６３と連通する。
【００８４】
図５及び図１１を参照すると、集塵筒５０と駆動部６０に備えられる着脱装置８０’は、カバー５２の外側に出没する係止突起８４’と、係止突起８４’に対応する駆動部６０に形成される溝部６８’と、取っ手５３に設置されて、使用者により押されると係止突起８４’がカバー５２の内側に挿入されるようにするノブ８２’と、係止突起８４’と取っ手５３内壁との間に介在されて、係止突起８４’を溝部６８’方向に付勢する弾性部材（図示せず）と、を含む。
【００８５】
図５及び図２２を参照すると、上記の第１連結装置７０と同じ構成の第２連結装置７０’が、集塵筒５０と駆動部６０に備えられる。
【００８６】
第２連結装置７０’は、排気口５６の周縁から外側に延びる円形の突部７２’と、突部７２’の端部から側方向に沿って突出するスライディング突起７４’と、突部７２’に対応する吸入口６５の周縁に形成される円形の挿入溝部７６’と、挿入溝部７６’の外側端部に形成されて、スライディング突起７４’が係合する拘束突起７７’と、挿入溝部７６’の内側にはめ込まれる弾性材質のシーリング部材（図示せず）と、を含む。
【００８７】
第１マウント部３５から離脱した集塵筒５０を駆動部６０と結合させる時には、スライディング突起７４’と拘束突起７７’とが対応しないように集塵筒５０を駆動部６０と所定角度ずらして配置して突部７２’を挿入溝部７６’に入れたのち集塵筒５０を回して駆動部６０に結合させる。
【００８８】
この時、集塵筒５０が回転しながらスライディング突起７４’が挿入溝部７６’に沿って回転して拘束突起７７’と挿入溝部７６’との間に介在され、排気口５６と吸入口６５が密着される。
【００８９】
そして、集塵筒５０が回転する時に弾性部材（図示せず）が圧縮されながら係止突起８４’がカバー５２の内側に挿入され、集塵筒５０が駆動部６０に結合されると、弾性部材の復元力により係止突起８４’がカバー５２の外側に突出しながら溝部６８に挿入されるので、集塵筒５０の回転運動を拘束して集塵筒５０の離脱を防止させる。
【００９０】
図１８〜図２１を参照すると、電源供給装置９０は、第２マウント部３６の内壁に設けられて電源を供給する端子９２と、端子９２に対応する駆動部６０に設けられる接点９４と、接点９４を通じて供給される電気エネルギーを貯蔵して、吸入装置６１に電気エネルギーを供給するバッテリー９６と、を含む。
【００９１】
バッテリー９６は、接点９４を通じて供給される電気エネルギーを貯蔵し、該電気エネルギーを吸入装置６１に供給するように駆動部６０に着脱可能に設置されるバッテリーケース９９に内蔵される。
【００９２】
駆動部６０とバッテリーケース９９には、バッテリーケース９９を着脱自在にする結合装置１００が設置され、駆動部６０にはバッテリーケース９９が挿入される結合凹部６６が形成される。
【００９３】
図１６〜図１８を参照すると、結合装置１００は、バッテリーケース９９に形成される拘束溝部１０２と、拘束溝部１０２に対応する結合突起１０５が一側端部に形成され、駆動部６０の結合凹部６６に回転可能に設置されるレバー１０４と、レバー１０４と結合凹部６６との間に介在される弾性部材（図示せず）と、結合凹部６６の内壁に設置されて吸入装置６１に電気エネルギーを供給する接続端子１０８と、接続端子１０８に対応するバッテリーケース９９に設置される結合部１０９と、を含む。
【００９４】
ここで、レバーの他側端部は、バッテリーケース９９の外側に配置されるので、バッテリーケース９９を駆動部６０の結合凹部６６から分離させる時にレバー１０４の他側端部を押して結合突起１０５を拘束溝部１０２の外側に離脱させることができる。
【００９５】
バッテリーケース９９を駆動部６０に結合させる時には、複数個のバッテリー９６が内蔵されたバッテリーケース９９を結合凹部６６に挿入すると弾性部材が圧縮されながら結合突起１０５が結合凹部６６の外側にはみ出されながらバッテリーケース９９が結合凹部６６にマウントされ、バッテリーケース９９の挿入が完了すると弾性部材の復元力によりレバー１０４が回転して結合突起１０５は拘束溝部１０２に挿入される。これで、バッテリーケース９９の装着が完了する。
【００９６】
以降、駆動部６０を第２マウント部３６に挿入すると、端子９２と接点９４とが電気的に連結されながらバッテリー９６に電気エネルギーが貯蔵される。
【００９７】
図２５を参照すると、電源供給装置９０には、駆動ＰＣＢ ９８ａに並列に連結されて、端子９２に電源を供給する充電ＰＣＢ ９８が含まれる。
【００９８】
この駆動ＰＣＢ ９８ａは、モーターアセンブリー４０に電源を供給するか否かを決定するＰＣＢである。
【００９９】
これにより、バッテリーケース９９が駆動部に結合された状態で駆動部６０が第２マウント部３６にマウントされると、端子９２と接点９４とが接触して電気的に連結される。
【０１００】
この時、充電ＰＣＢ ９８によりバッテリー９６に電気エネルギーが貯蔵される。
【０１０１】
充電ＰＣＢ ９８は、電源プラグ９７と駆動ＰＣＢ ９８ａとの間に並列に連結されるため、使用者が電源プラグ９７をコンセント（図示せず）に差し込むことで駆動ＰＣＢ ９８ａに電源が印加されると、充電ＰＣＢ ９８にも電源が印加されて充電作業がなされる。
【０１０２】
これにより、第２マウント部３６に駆動部６０がマウントした状態で、電源プラグ９７がコンセントに差し込まれるとモーターアセンブリー４０の駆動有無とは関係なくバッテリー９６の充電がなされるので、ハンディ掃除機としての使用を準備可能になる。
【０１０３】
なお、駆動部６０から分離されるバッテリーケース９９と接続されて電気エネルギーを供給する充電器９９ａが備えられるので、駆動部６０と集塵筒５０とを連結してなるハンディ掃除機のみを使用する時にもバッテリー９６を容易に充電することができる。
【０１０４】
図２３及び図２４を参照すると、上記のような技術構成は、本体流入口３１から吸い込まれる空気中の異物を集塵筒５０に集塵するための構成で、本体流入口３１には延長管（図示せず）が設置され、延長管の端部には様々な形状のノズル１１０が選択的に設置されることで、掃除作業する場所に応じて効果的な掃除作業がなされるようにする。
【０１０５】
このように様々な形状のノズル１１０を収納するために本体３０には収納部３４が形成されるが、この収納部３４は、本体３０の底面に形成され、収納部３４の内壁には収納されるノズル１１０の形状に対応して取り替えられる複数個の収納溝部３９が形成され、様々な形状のノズル１１０を収納できるようになっている。
【０１０６】
また、収納溝部３９に挿入されたノズル１１０が収納部３４の外側に離脱するのを防止するために蓋３７の一側端部が収納部３４の一側縁に回動可能に設置され、蓋３７の他側端部と収納部３４には開閉装置３８が設置される。
【０１０７】
ここで、開閉装置３８は蓋３７に設置されるロック突起３８ａと、ロック突起３８ａに対応する収納部３４に設けられて、ロック突起３８ａが挿入される固定部３８ｂと、を含む。
【０１０８】
収納溝部３９にノズル１１０を挿入した後に蓋３７を回動させてロック突起３８ａが固定部３８ｂに挿入されるようにすると、ロック突起３８ａが固定部３８ｂの外側に離脱するのが抑止され、蓋３７の開放が防止される。
【０１０９】
固定部３８ｂは、ワンタッチ方式によって挿入される突起を拘束する通常の構造のロック手段であり、その詳細構成についての説明は省略する。
【０１１０】
上記のような構成を持つ真空掃除機をハンディ掃除機として使用する時は、集塵筒５０と駆動部６０とを結合してハンディ掃除機とするが、この時、駆動部６０に出没可能に設置される吸気管６２により空気及び異物の吸入がなされる。
【０１１１】
また、駆動部６０と集塵筒５０を本体３０に挿入する時は、吸気管６２が駆動部６０の外側に突出しないようにし、装着を容易にすることができる。
【０１１２】
このような吸気管６２は、吐出口６４と連通するホール部６２ａに回転可能に設置され、曲線状の管とし、駆動部６０が第２マウント部３６に挿入される時には駆動部６０の底面に密着するように回転させることで第２マウント部３６への挿入を容易にする。
【０１１３】
なお、第２マウント部３６には吸気管６２に対応する底面に曲線状の台座溝３６ａ（図１９参照）が形成されるので、駆動部６０の挿入をより容易に遂げることができる。
【０１１４】
上記のように構成された本発明の一実施例による真空掃除機の作用について説明すると、下記の通りである。
【０１１５】
まず、真空掃除機として使用する時は、集塵筒５０を所定角度ずらして突部７２を第１マウント部３５の挿入溝部７６にはめ込んで集塵筒５０を第１マウント部３５の内側に回転させると、スライディング突起７４が挿入溝部７６に沿って回転しながら拘束突起７７と挿入溝部７６との間に挟持されつつ集塵筒５０が第１マウント部３５に結合される。
【０１１６】
また、駆動部６０の吸気管６２を下側方向に回転させて駆動部６０の底面に密着させたのち第２マウント部３６に挿入すると、吸気管６２が台座溝３６ａに挿入され、端子９２と接点９４とが接触して電気的に連結されながら駆動部６０がマウントされる。
【０１１７】
このようにして集塵筒５０と駆動部６０のマウントを完了した後に、電源プラグ９７を引っ張り本体３０から延ばした後にコンセントに差し込むと、駆動ＰＣＢ ９８ａと充電ＰＣＢ ９８に電源が印加され、バッテリー９６の充電作業が開始される。
【０１１８】
もちろん、駆動部６０が第２マウント部３６に挿入されていない状態でもモーターアセンブリー４０に電源が印加されるので、真空掃除機の駆動は可能である。
【０１１９】
その後、使用者が掃除作業を開始すると、駆動ＰＣＢ ９８ａからモーターアセンブリー４０に電源が供給されて吸入力が発生するので、ノズル１１０及び延長管（図示せず）を通じて空気が流入する。
【０１２０】
流入する空気は、本体流入口３１に沿って本体３０に流入し、吐出口３５ａ、流入口５５及びガイド管５５ａに沿って集塵筒５０内に流入する。
【０１２１】
集塵筒５０内に流入した空気は、フィルター５７の周面から中央に移動し、この時に空気中に含まれた異物はフィルター５７により除去される。
【０１２２】
異物の除去された空気は、排気口５６及び吸入口３５ｂを通過して再び本体３０の中央に形成された流路３２ａに移動する。
【０１２３】
続いて、モーターアセンブリー４０を経て本体排気口３２を通じて本体３０の外側に排出されながら掃除作業がなされる。
【０１２４】
上記のような作動によって広い空間の掃除作業を行うこととなる。
【０１２５】
家具間の隙間や門の枠のように狭い空間を掃除する時には、集塵筒５０と駆動部６０を本体３０から分離してハンディ掃除機として掃除作業を行う。
【０１２６】
ハンディ掃除機とするために使用者がノブ８２を押すと弾性部材（図示せず）が圧縮されながら係止突起８４が取っ手カバー５４の内側に挿入され、ノブ８２を押した状態で取っ手５３を上側に回転させると集塵筒５０が回転しながらスライディング突起７４が拘束突起７７から離脱する。
【０１２７】
これで集塵筒５０が第１マウント部３５から分離される。
【０１２８】
このようにして分離した集塵筒５０を、第２マウント部３６から離脱させた駆動部６０に連結するが、第１マウント部３５に結合する作動と同様にして集塵筒５０と駆動部６０とを結合させ、ハンディ掃除機とする。
【０１２９】
その後、駆動部６０の底面に密着して配置されている吸気管６２を前方に回転させると、吸気管６２に対応するように駆動部６０に形成されるホール部６２ａと吸気管６２とが連結されながら吸気管６２と吐出口６４とが連通する。
【０１３０】
このように組み立てられたハンディ掃除機の電源スイッチ６７を入れると吸入装置６１が駆動し、吸気管６２に沿って空気が流入し、流入した空気は吐出口６４と流入口５５を通じて集塵筒５０に移動する。
【０１３１】
集塵筒５０に流入した空気は、フィルター５７の周面から中央側に移動し、この時に空気中に含まれた異物はフィルター５７により除去される。
【０１３２】
異物の除去された空気は、排気口５６及び吸入口６５を通って再び駆動部６０に移動した後に吸入装置６１を経て排出口６３から駆動部６０の外側に吐出される。
【０１３３】
これで、ハンディ掃除機による掃除作業がなされる。
【０１３４】
上記のようなハンディ掃除機による掃除作業が長時間になると、バッテリー９６に貯蔵された電気エネルギーが尽き、再充電が要求される。
【０１３５】
まず、上記した集塵筒５０の分離方法と同様にして集塵筒５０を駆動部６０から分離させ、分離された駆動部６０を第２マウント部３６に挿入する。
【０１３６】
この時、端子９２と接点９４とが接触して電気的に連結されながら充電ＰＣＢ ９８から電気エネルギーが供給され、よって、バッテリー９６に電気エネルギーが充電される。
【０１３７】
駆動部６０を集塵筒５０から分離せずにバッテリー９６の充電作業を行う時は、レバー１０４を押して結合突起１０５が拘束溝部１０２から離脱するようにする。
【０１３８】
その後、バッテリーケース９９を駆動部６０から取り出して充電器９９ａと結合部１０９とを連結して充電作業を行うことができる。
【０１３９】
本発明の一実施例ではハンディ掃除機一体型真空掃除機について説明しているが、上記の駆動部６０が省略され、本体３０、モーターアセンブリー４０、及び集塵筒５０からなる真空掃除機としても、上記した真空掃除機の掃除作業を行うことができる。
【０１４０】
また、本発明の一実施例において上記の本体３０及びモーターアセンブリー４０が省略され、駆動部６０と集塵筒５０と充電器９９ａとからなるハンディ掃除機としても、上記したハンディ掃除機の掃除作業を行うことができる。
【０１４１】
このようなハンディ掃除機は、流入口５５と排気口５６が形成され、フィルター５７が設置される集塵筒５０と、集塵筒５０に着脱可能に設置されて、集塵筒５０に吸入力を発生させる駆動部６０と、駆動部６０に設置されて流入口５５と連通する吸気管６２と、駆動部６０に形成されて排気口５６と連通する排出口６３と、を含む。
【０１４２】
フィルター５７は、円筒形に形成されて排気口５６に設置され、流入口５５は、図１１及び図１５に示すようにフィルター５７の周面側に延びる。
【０１４３】
集塵筒５０の流入口５５の内側には、フィルター５７の周面方向に延在する曲線状のガイド管５５ａが設置される。
【０１４４】
このような構成によりサイクロン方式の集塵筒５０が備えられるハンディ掃除機とすることによって、上記のようなハンディ掃除機の掃除作業が可能になる。
【０１４５】
本発明は、図面に示す一実施例に挙げて説明されたが、これは一例に過ぎず、当該技術分野における通常の知識を持つ者には、説明された実施例から様々な変形及び均等な他の実施例が可能であるということが理解できる。
【０１４６】
また、ハンディ掃除機一体型真空掃除機を取り上げて説明したが、これは一例に過ぎず、ハンディ掃除機一体型真空掃除機に使用される集塵筒、駆動部及び本体は、他の製品にも使用可能である。
【０１４７】
したがって、本発明の技術的保護範囲は、添付の特許請求の範囲によって定められるべきである。
【符号の説明】
【０１４８】
３１  本体流入口、３２  本体排気口、３３  マウント部、３０  本体、４０  モーターアセンブリー、５０  集塵筒、６０  駆動部、９０  電源供給装置。
【図１】
2010508884.tif 000003
【図２】
2010508884.tif 000004
【図３】
2010508884.tif 000005
【図４】
2010508884.tif 000006
【図５】
2010508884.tif 000007
【図６】
2010508884.tif 000008
【図７】
2010508884.tif 000009
【図８】
2010508884.tif 000010
【図９】
2010508884.tif 000011
【図１０】
2010508884.tif 000012
【図１１】
2010508884.tif 000013
【図１２】
2010508884.tif 000014
【図１３】
2010508884.tif 000015
【図１４】
2010508884.tif 000016
【図１５】
2010508884.tif 000017
【図１６】
2010508884.tif 000018
【図１７】
2010508884.tif 000019
【図１８】
2010508884.tif 000020
【図１９】
2010508884.tif 000021
【図２０】
2010508884.tif 000022
【図２１】
2010508884.tif 000023
【図２２】
2010508884.tif 000024
【図２３】
2010508884.tif 000025
【図２４】
2010508884.tif 000026
【図２５】
2010508884.tif 000027
【国際調査報告】
2010508884.tif 000028
2010508884.tif 000029